(57)【要約】      （修正有）【課題】簡単に隔壁シール部を剥離し、内容物をブレンドすることが可能なブレンド機能を有する包装用袋を提供する。【解決手段】このため、包装用袋１０の少なくとも上下両縁をシールして密封された密封空間を形成し、密封空間を２以上の独立した密封室２３，２５に区画する隔壁シール２１部を設けた包装用袋１０において、隔壁シール部２１が、上下両縁のシールに対して垂直方向に形成されている。【選択図】図２
2014031176.tif 000002
【特許請求の範囲】
【請求項１】
包装用袋の少なくとも上下両縁をシールして密封された密封空間を形成し、前記密封空間を２以上の独立した密封室に区画する隔壁シール部を設けた包装用袋において、
前記隔壁シール部が、上下両縁のシールに対して垂直方向に形成されていることを特徴とするブレンド機能を有する包装用袋。
【請求項２】
上下両縁と、左右両縁の少なくとも一方をシールして前記密封空間を形成していることを特徴とする請求項１に記載のブレンド機能を有する包装用袋。
【請求項３】
前記隔壁シール部のシール強度が、前記密封空間を形成するシールのシール強度よりも弱いことを特徴とする請求項１または２に記載のブレンド機能を有する包装用袋。
【発明の詳細な説明】
【技術分野】
【０００１】
本発明は、内容物を複数の密封室に分けて密封包装し、密封室の間を区画する隔壁シール部を剥離することで、内容物をブレンド可能なブレンド機能を有する包装用袋に関する。
【背景技術】
【０００２】
従来、食品類をはじめとする各種内容物を密封包装可能で柔軟なプラスチックフィルム製の包装用袋として、周囲を外周シール部により密封シールして製袋された包装用袋がある。この包装用袋に、内部を複数の独立した密封室に区画する隔離シール部を設けて、外圧もしくは内圧により隔離シール部を剥離して各室に密封されている内容物をブレンド可能なブレンド機能を付与している。
【０００３】
このような包装用袋として、例えば特許文献１には、医薬品や化粧品、トイレタリー製品などにおけるＡ剤とＢ剤とを、１つの包装用袋の中央部に設けた隔壁シール部により区分した２つの密封室にそれぞれ充填密封包装して流通させる包装用袋が記載されている。この包装用袋では、使用時に包装用袋の中央部に設けた隔壁シール部を外圧若しくは内圧により破壊して剥離することにより、各室に密封されているＡ剤とＢ剤など内容物をブレンドできるようになっている。
【０００４】
しかし、前記包装用袋では、隔壁シール部は外周シール部のシール強度より弱く設計されているものの、包装用袋の外面を手で押圧し、内部の空気を膨張させて隔壁シール部を破壊しようとしても、隔壁シール部と外周シール部とのそれぞれに均等に圧力がかかるため、隔壁シール部のみを選択的に破壊することは難しいという問題があった。
【先行技術文献】
【特許文献】
【０００５】
【特許文献１】特開２０００−３０９３５０号公報
【発明の概要】
【発明が解決しようとする課題】
【０００６】
本発明は、前記従来の問題点に鑑みてなされたもので、包装用袋内を複数の独立した密封室に区画する隔壁シール部を備えたブレンド機能を有する包装用袋において、簡単に隔壁シール部を剥離し、内容物をブレンドすることが可能なブレンド機能を有する包装用袋を提供することである。
【課題を解決するための手段】
【０００７】
前記課題を解決するため、本発明に係るブレンド機能を有する包装用袋は、
包装用袋の少なくとも上下両縁をシールして密封された密封空間を形成し、前記密封空間を２以上の独立した密封室に区画する隔壁シール部を設けた包装用袋において、
前記隔壁シール部が、上下両縁のシールに対して垂直方向に形成されているものである。
【０００８】
上記構成により、上縁のシールと隔壁シール部との間、および下縁のシールと隔壁シール部との間の密封室が立体的に形成される。このため、密封室を構成する側壁を摘んで引っ張り易くなり、簡単に隔壁シール部を剥離できる。
【０００９】
上下両縁と、左右両縁の少なくとも一方をシールして前記密封空間を形成していることが好ましい。
左右両縁の少なくとも一方をシールすることで、このシール部を摘みつつ密封室のシール部と反対側の面を摘んで引っ張り、または左右両縁のシール部を摘んで引っ張ることで、隔壁シール部だけを簡単に破壊し剥離することができる。
【００１０】
前記隔壁シール部のシール強度が、前記密封空間を形成するシールのシール強度よりも弱いことが好ましい。
【００１１】
上記構成により、密封室を押圧し、または引っ張ることで、隔壁シール部のみを確実に剥離して、内容物をブレンドすることができる。
【発明の効果】
【００１２】
本発明によれば、上下両縁のシールに対して垂直方向に隔壁シール部を設けることで、密封室が立体的に形成される。更に、左右両縁の少なくとも一方をシールすることで、このシール部を摘んで引っ張り、隔壁シール部を簡単に剥離できる。
【図面の簡単な説明】
【００１３】
【図１】本発明の包装用袋の斜視図。
【図２】図１の反対側から見た本発明の包装用袋の斜視図。
【図３】包装用袋の正面図。
【図４】包装用袋の側面図。
【図５】包装用袋の平面図。
【図６】包装用袋の隔壁シール部を剥離している状態を示す斜視図。
【図７】包装用袋の隔壁シール部を剥離し、連通した上下の密封室内に収容されている内容物をブレンドしている状態を示す斜視図。
【図８】ブレンドした内容物を包装用袋から取り出す状態の斜視図。
【発明を実施するための形態】
【００１４】
以下、本発明の実施形態を、添付図面を参照しながら説明する。
【００１５】
図１および図２は、本発明の実施形態に係る包装用袋１０を示す。この包装用袋１０は、１枚のプラスチックフィルムからなる。ただし、包装用袋１０はプラスチックフィルムに限定されず、紙など他の包装用シートから形成されてもよい。包装用袋１０は、上縁をシールする上縁シール部１４と、下縁をシールする下縁シール部１５と、側縁をシールする側縁シール部１６とにより密封された密封空間を内部に有している。前記上縁シール部１４と、前記下縁シール部１５と、前記側縁シール部１６とは、包装用袋１０の周縁をシールする周縁シール部を構成している。
【００１６】
上縁シール部１４と下縁シール部１５とは水平方向に平行に延びている。図３に示すように、側縁シール部１６は、上縁シール部１４の端部と下縁シール部１５の端部とに連続し、側縁シール部１６の両端が、上縁シール部１４と下縁シール部１５とに直交している。また、側縁シール部１６は、後述する上側密封室２３と下側密封室２５とを構成する側壁２７に沿って延びている。更に、図４に示すように、側縁シール部１６は上縁シール部１４と下縁シール部１５との近傍では、側壁２７と直交するように側壁２７に対して立ち上がっている。しかし、側縁シール部１６は後述する隔壁シール部２１の近傍では、側壁２７に沿って折り畳まれている。
【００１７】
包装用袋１０には、上縁シール部１４と下縁シール部１５との中間位置に隔壁シール部２１が形成されている。隔壁シール部２１は水平方向に延び、側縁シール部１６と直交している（図４参照）。また、隔壁シール部２１は、上縁シール部１４と下縁シール部１５とに対して垂直方向に形成されている（図５参照）。隔壁シール部２１の幅寸法は５ｍｍから１５ｍｍであることが好ましい。なお、隔壁シール部２１を周縁シール部よりも剥離しやすくするため、例えば、隔壁シール部２１と周縁シール部とのシール強度を同一に設定した場合には、隔壁シール部２１のシール幅を狭くし、周縁シール部のシール幅を広くする構成を採用してもよい。また、隔壁シール部２１を周縁シール部よりも剥離しやすくするため、隔壁シール部２１のシール強度を周縁シール部のシール強度よりも弱くする場合には、隔壁シール部２１のシール時間を短くしたり、シール温度を低くしてもよく、若しくは、シール圧を低くしてもよい。また、テープ状フィルムをシール部に介在させることで、隔壁シール部２１のシール強度を周縁シール部のシール強度よりも弱くする構成も採用し得る。ただし、隔壁シール部２１を周縁シール部よりも剥離しやすくする方法、構成は特に限定されず、従来公知の種々の方法を用いてもよい。包装用袋１０内部の密封空間は隔壁シール部２１により、それぞれ独立した四面体形状の上側密封室２３と下側密封室２５とに区画されている。前記各密封室２３，２５を立体的に形成することで、側壁２７を摘んで引っ張り易くなり、簡単に隔壁シール部２１を剥離できる。上側密封室２３には内容物３１が密封包装され、下側密封室２５には、内容物３１とは異なる内容物３２が密封包装されている。
【００１８】
なお、本実施形態では、隔壁シール部２１を上縁シール部１４と下縁シール部１５との中間位置に形成したが、かかる位置に限定されない。例えば、隔壁シール部２１を上縁シール部１４側に形成してもよく、または、下縁シール部１５側に形成してもよい。本実施形態では、包装用袋１０の一方の側縁だけに側縁シール部１６を設けたが、包装用袋１０の左右両側縁に側縁シール部を形成してもよい。また、本実施形態では、密封室２３，２５を２つ設けたが、密封室の数は特に限定されない。各密封室２３，２５に密封充填される内容物は、図示した粉状物、粒状物のほか、固形物や液体などがある。
【００１９】
上記構成の包装用袋１０を形成しつつ内容物を密封包装するため、上下方向に連続した帯状のプラスチックフィルムを中心線に沿って折り畳む。そして、側縁の内側面どうしを重ね合わせて熱接着し、側縁シール部１６を形成する。同様に、下縁を熱接着し、下縁シール部１５を形成する。次に、開口している上縁から下縁シール部１５に向かって内容物３２を入れて収容した後、次に、下縁シール部１５から所定距離離れた位置を熱接着して隔壁シール部２１を形成する。これにより、内容物３２は下側密封室２５内に密封包装される。この状態で更に、上縁から隔壁シール部２１に向かって内容物３１を入れて収容した後、隔壁シール部２１から所定距離離れた位置を熱接着して上縁シール部１４および次の包装用袋１０の下縁シール部１５を形成し、熱接着部の中間を切断する。これにより、内容物３１が上側密封室２３内に密封包装される。これらの工程を連続して行うことで包装用袋１０を連続して製造することができる。
【００２０】
包装用袋１０から内容物３１，３２を取り出す場合、まず、図６に示すように、下側密封室２５の側縁シール部１６と、側縁シール部１６と反対側の側壁２７を摘んで外方に引っ張る。これにより、隔壁シール部２１が破壊され剥離し、上側密封室２３と下側密封室２５とが連通する。以上のように、側縁シール部１６を設けることで、側縁シール部１６を摘んで、隔壁シール部２１を簡単に剥離することができる。その後、図７に示すように、包装用袋１０を把持して上下に振り、内容物３１と内容物３２とをブレンドする。そして、図８に示すように、下上下縁のいずれかをはさみ等で切り落とし、ブレンドされた内容物３１，３２を取り出す。
【００２１】
なお、本実施形態では、側縁シール部１６と上側密封室２３の側壁２７とを摘んで反対方向に引っ張ることで、隔壁シール部２１を剥離したが、これに限定されない。例えば、上側密封室２３を押圧し内部の空気を外方に膨張させることで、隔壁シール部２１を剥離してもよい。このとき、隔壁シール部２１のシール強度が周縁シール部のシール強度よりも弱いため、隔壁シール部２１のみを確実に剥離できる。
【符号の説明】
【００２２】
１０  包装用袋
１４  上縁シール部（周縁シール部）
１５  下縁シール部（周縁シール部）
１６  側縁シール部（周縁シール部）
２１  隔壁シール部
２３  上側密封室
２５  下側密封室
【図１】
2014031176.tif 000003
【図２】
2014031176.tif 000004
【図３】
2014031176.tif 000005
【図４】
2014031176.tif 000006
【図５】
2014031176.tif 000007
【図６】
2014031176.tif 000008
【図７】
2014031176.tif 000009
【図８】
2014031176.tif 000010